【手続補正書】
【提出日】平成26年6月2日(2014.6.2)
【手続補正１】
【補正対象書類名】特許請求の範囲
【補正対象項目名】請求項２
【補正方法】変更
【補正の内容】
【請求項２】
請求項１に記載の無線通信システムにおいて、
前記ＭＳ情報格納装置は、
Ｅｘｔ．  Ｉｎｄｅｘに対して、ＭＳ情報を記憶するＭＳ情報格納テーブルを備え、
ＭＳ情報格納装置は、前記ゲートウェイから、前記第１のＭＳ情報転送要求を受信すると、前記ＭＳ情報格納テーブルを参照し、ＭＳ情報がｎｕｌｌのエリアを検索し、前記第１のＭＳ情報転送要求に含まれるＭＳ情報を、検索したエリアに記憶し、対応するＥｘｔ．  Ｉｎｄｅｘを含む前記第１のＭＳ情報転送応答を、前記ゲートウェイに送信することを特徴とする無線通信システム。
【手続補正２】
【補正対象書類名】明細書
【補正対象項目名】０００５
【補正方法】変更
【補正の内容】
【０００５】
図２５は、従来の移動体通信システムのＩｄｌｅ移行シーケンスを説明する図である。
ＭＳ５００、ＢＳ４００、ＡＳＮ−ＧＷ２００、ＨＡ３００は、規定に従ったメッセージのやり取りを行い、ＭＳ５００とＢＳ４００間に無線パス５１０を確立し、ＢＳ４００とＡＳＮ−ＧＷ２００の間に、例えばＧＲＥ（Ｇｅｎｅｒｉｃ  Ｒｏｕｔｉｎｇ  Ｅｎｃａｐｓｕｌａｔｉｏｎ）カプセリングパス等のパス４１０を確立し、また、ＡＳＮ−ＧＷ２００とＨＡ３００の間にパス３１０を確立する。これらによりデータ接続が行われる。ＭＳ５００がＭＳ情報の削除（Ｉｄｌｅ移行）を要求する場合、削除要求（ＤＲＥＧ−ＲＥＱ８００）をＢＳ４００に送信することで、ＢＳ４００がＡＳＮ−ＧＷ２００に、Ｉｄｌｅ  Ｍｏｄｅ  エントリ状態変更要求（ＩＭ＿Ｅｎｔｒｙ＿Ｓｔａｔｅ＿Ｃｈａｎｇｅ＿Ｒｅｑ．８０１）を送信し、その後、規定に従ったメッセージがやり取りされ、Ｉｄｌｅ移行シーケンス（削除シーケンス）が実行される（ＩＭ＿Ｅｎｔｒｙ＿Ｓｔａｔｅ＿Ｃｈａｎｇｅ＿Ｒｓｐ．８０３、ＤＲＥＧ−ＣＭＤ８０２、ＩＭ＿Ｅｎｔｒｙ＿Ｓｔａｔｅ＿Ｃｈａｎｇｅ＿Ａｃｋ．８０４、Ｐａｔｈ＿Ｄｅｒｅｇ＿Ｒｅｑ．８０５、Ｐａｔｈ＿Ｄｅｒｅｇ＿Ｒｓｐ．８０６、Ｐａｔｈ＿Ｄｅｒｅｇ＿Ａｃｋ．８０７）。これにより、ＡＳＮ−ＧＷ２００は、ＭＳ情報を保持するが、ＭＳ５００をＩｄｌｅ状態として管理する。
【手続補正３】
【補正対象書類名】明細書
【補正対象項目名】０００６
【補正方法】変更
【補正の内容】
【０００６】
図２６は、従来の移動体通信システムのＡｃｔｉｖｅ移行シーケンスを説明する図である。
ＡＳＮ−ＧＷ２００とＨＡ３００の間には、パス３１０が確立され、データ接続が行われている。ＭＳ５００がＭＳ情報の登録（Ａｃｔｉｖｅ移行）を要求する場合、登録要求（ＲＥＧ−ＲＥＱ８１０）をＢＳ４００に送信することで、ＢＳ４００がＡＳＮ−ＧＷ２００に、Ｉｄｌｅ  Ｍｏｄｅ  エクジット状態変更要求（ＩＭ＿Ｅｘｉｔ＿Ｓｔａｔｅ＿Ｃｈａｎｇｅ＿Ｒｅｑ．８１１）を送信し、その後、規定に従ったメッセージがやり取りされ、Ａｃｔｉｖｅ移行シーケンス（登録シーケンス）が行われる（ＩＭ＿Ｅｎｔｒｙ＿Ｓｔａｔｅ＿Ｃｈａｎｇｅ＿Ｒｓｐ．８１２、ＩＭ＿Ｅｎｔｒｙ＿Ｓｔａｔｅ＿Ｃｈａｎｇｅ＿Ａｃｋ．８１３、Ｐａｔｈ＿Ｄｅｒｅｇ＿Ｒｅｑ．８１４、Ｐａｔｈ＿Ｄｅｒｅｇ＿Ｒｓｐ．８１５、ＲＥＧ−ＲＳＰ８１６、ＣＭＡＣ＿Ｋｅｙ＿Ｃｏｕｎｔ＿Ｕｐｄａｔｅ８１７、ＣＭＡＣ＿Ｋｅｙ＿Ｃｏｕｎｔ＿Ｕｐｄａｔｅ＿Ａｃｋ．８１８、Ｐａｔｈ＿Ｒｅｇ＿Ａｃｋ．８１９）。これにより、ＡＳＮ−ＧＷ２００は、ＭＳ５００の管理状態をＡｃｔｉｖｅとする。また、ＭＳ５００、ＢＳ４００、ＡＳＮ−ＧＷ２００、ＨＡ３００は、規定に従ったメッセージのやり取りを行い、ＭＳ５００とＢＳ４００間に無線パス５１１を確立し、ＢＳ４００とＡＳＮ−ＧＷ２００の間に、例えばＧＲＥ（Ｇｅｎｅｒｉｃ  Ｒｏｕｔｉｎｇ  Ｅｎｃａｐｓｕｌａｔｉｏｎ）カプセリングパス等のパス４１１を確立し、データ接続が行われる。
【手続補正４】
【補正対象書類名】明細書
【補正対象項目名】００１８
【補正方法】変更
【補正の内容】
【００１８】
以下では、移動体システムに本発明を適用した場合の発明の実施の形態を説明する。
Ａ．実施の形態１：Ｉｄｌｅ状態のＭＳ情報を外部装置に格納する形態
１．システム
図１は、本実施の形態の移動体通信システムの構成を示した図である。
本実施の形態の移動体通信システムは、ＭＳ情報格納装置１００、移動体端末（ＭＳ：Ｍｏｂｉｌｅ  Ｓｔａｔｉｏｎ）５００、基地局（ＢＳ：Ｂａｓｅ  Ｓｔａｔｉｏｎ）４００〜ＢＳ４０３、ＢＳを管理するアクセスサービスネットワーク−ゲートウェイ（ＡＳＮ−ＧＷ：Ａｃｃｅｓｓ  Ｓｅｒｖｉｃｅ  Ｎｅｔｗｏｒｋ  −  Ｇａｔｅｗａｙ）２００〜２０１、ホームエージェント（ＨＡ：Ｈｏｍｅ  Ａｇｅｎｔ）３００を備える。ＨＡ３００は、Ｍｏｂｉｌｅ  ＩＰをサポートする。ＨＡ３００は、インターネットサービスを提供している場合には、インターネット等のネットワーク７００と接続されている。
【手続補正５】
【補正対象書類名】明細書
【補正対象項目名】００２０
【補正方法】変更
【補正の内容】
【００２０】
図３は、本発明の一実施の形態におけるＭＳ情報格納装置１００の構成を説明する図である。ＭＳ情報格納装置１００は、ＡＳＮ−ＧＷと接続する物理インタフェースを備えるＩ／Ｏポート１００４、Ｉ／Ｏポート１００４を介してＭＳ情報等のデータの送信及び受信処理、ＡｃｔｉｖｅとＩｄｌｅとの間の移行処理等の各種処理を実行する制御部１００２、ソフトウェアが格納されているプログラムメモリ１００３、ＡＳＮ−ＧＷ２００〜２０１と通信を行うＡＳＮ−ＧＷ  ＩＦ１００５、ＭＳ情報等を含む各種情報を記憶するＨＤＤ１００６、各機能部を接続するバス１００１備える。ＨＤＤ１００６は、ＭＳ情報格納テーブル１００６１を含む。
【手続補正６】
【補正対象書類名】明細書
【補正対象項目名】００２５
【補正方法】変更
【補正の内容】
【００２５】
２．ＡｃｔｉｖｅからＩｄｌｅへの移行処理
つぎに、本実施の形態の接続シーケンスを説明する。
図８は、本発明の実施の形態の移動体通信システムのＩｄｌｅ移行シーケンスを説明する図である。
ＭＳ５００、ＢＳ４００、ＡＳＮ−ＧＷ２００、ＨＡ３００は、規定に従ったメッセージのやり取りを行い、ＭＳ５００とＢＳ４００間に無線パス５１０を確立し、ＢＳ４００とＡＳＮ−ＧＷ２００の間に、例えばＧＲＥ（Ｇｅｎｅｒｉｃ  Ｒｏｕｔｉｎｇ  Ｅｎｃａｐｓｕｌａｔｉｏｎ）カプセリングパス等のパス４１０を確立し、また、ＡＳＮ−ＧＷ２００とＨＡ３００の間にパス３１０を確立する。これらによりデータ接続が行われる。ＭＳ５００がＭＳ情報の削除（Ｉｄｌｅ移行）を要求する場合、削除要求（ＤＲＥＧ−ＲＥＱ８００）をＢＳ４００に送信することで、ＢＳ４００がＡＳＮ−ＧＷ２００に、Ｉｄｌｅ  Ｍｏｄｅ  エントリ状態変更要求（ＩＭ＿Ｅｎｔｒｙ＿Ｓｔａｔｅ＿Ｃｈａｎｇｅ＿Ｒｅｑ．８０１）を送信し、その後、規定に従ったメッセージがやり取りされ、が実行される（ＩＭ＿Ｅｎｔｒｙ＿Ｓｔａｔｅ＿Ｃｈａｎｇｅ＿Ｒｓｐ．８０３、ＤＲＥＧ−ＣＭＤ８０２、ＩＭ＿Ｅｎｔｒｙ＿Ｓｔａｔｅ＿Ｃｈａｎｇｅ＿Ａｃｋ．８０４、Ｐａｔｈ＿Ｄｅｒｅｇ＿Ｒｅｑ．８０５、８Ｐａｔｈ＿Ｄｅｒｅｇ＿Ｒｓｐ．８０６、Ｐａｔｈ＿Ｄｅｒｅｇ＿Ａｃｋ．８０７）。
【手続補正７】
【補正対象書類名】明細書
【補正対象項目名】００３６
【補正方法】変更
【補正の内容】
【００３６】
３．ＩｄｌｅからＡｃｔｉｖｅへの移行処理
３．１．ＡＳＮ−ＧＷ２００によるＡｃｔｉｖｅ移行処理
図９は、本発明の実施の形態の移動体通信システムのＡｃｔｉｖｅ移行シーケンスを説明する図である。
ＡＳＮ−ＧＷ２００とＨＡ３００の間には、パス３１０が確立され、データ接続が行われている。ＭＳ５００がＭＳ情報の登録（Ａｃｔｉｖｅ移行）を要求する場合、登録要求（ＲＥＧ−ＲＥＱ８１０）をＢＳ４００に送信することで、ＢＳ４００がＡＳＮ−ＧＷ２００に、Ｉｄｌｅ  Ｍｏｄｅ  エクジット状態変更要求（ＩＭ＿Ｅｘｉｔ＿Ｓｔａｔｅ＿Ｃｈａｎｇｅ＿Ｒｅｑ．８１１）を送信する。
【手続補正８】
【補正対象書類名】明細書
【補正対象項目名】００４０
【補正方法】変更
【補正の内容】
【００４０】
ＭＳ５００がＭＳ情報の登録（Ａｃｔｉｖｅ移行）を要求する場合、ＭＳＩＤを含む登録要求（ＲＥＧ−ＲＥＱ８１０）をＢＳ４００に送信すると、ＢＳ４００は、ＡＳＮ−ＧＷ２００に、ＭＳＩＤを含むＩｄｌｅ  Ｍｏｄｅ  エクジット状態変更要求（ＩＭ＿Ｅｘｉｔ＿Ｓｔａｔｅ＿Ｃｈａｎｇｅ＿Ｒｅｑ．８１１）を送信する。
一例として、ＭＳＩＤが  “０００００１”の場合を説明する。
ＡＳＮ−ＧＷ２００は、ＩＭ＿Ｅｘｉｔ＿Ｓｔａｔｅ＿Ｃｈａｎｇｅ＿Ｒｅｑを受信すると（Ｓ２０２２）、Ａｃｔｉｖｅセッション管理テーブルを参照し、ＭＳ情報がｎｕｌｌのエリアを検索し、Ａｃｔｉｖｅ  Ｉｎｄｅｘを求める（Ｓ２０２３）。なお、ＡＳＮ−ＧＷ２００は、ＩＭ＿Ｅｘｉｔ＿Ｓｔａｔｅ＿Ｃｈａｎｇｅ＿Ｒｅｑを受信できなければ、ステップＳ２０２２を所定の時間又は回数繰り返す。
【手続補正９】
【補正対象書類名】明細書
【補正対象項目名】００５２
【補正方法】変更
【補正の内容】
【００５２】
ＡＳＮ−ＧＷ２０１は、ＩＭ＿Ｅｘｉｔ＿Ｓｔａｔｅ＿Ｃｈａｎｇｅ＿Ｒｅｑ．８３２を受信すると、ＭＳ情報格納装置１００に、ＭＳ情報を取得するため、ＭＳＩＤに対応するＥｘｔ．Ｉｎｄｅｘを含むＭＳ情報転送要求９１０を送信し、ＭＳ情報格納装置１００は、ＭＳ情報格納テーブルを参照し、受信したＭＳ情報転送要求９１０に含まれるＥｘｔ．ＩｎｄｅｘからＭＳ情報を検索し、ＡＳＮ−ＧＷ２００に、検索したＭＳ情報とＥｘｔ．Ｉｎｄｅｘを含むＭＳ情報転送応答９１１を送信する。ＡＳＮ−ＧＷ２００は、ＭＳ情報転送応答９１１を受信し、Ｅｘｔ．Ｉｎｄｅｘに従い該当するＭＳ情報をＡｃｔｉｖｅセッション管理テーブルに登録・追加し（２１５）、ＭＳ情報格納装置１００にＭＳ情報転送応答＿Ａｃｋ．９１２を送信する。ＭＳ情報格納装置１００は、ＭＳ情報転送応答＿Ａｃｋ．９１２を受信し、ＭＳ情報を削除する（１１３）。
【手続補正１０】
【補正対象書類名】明細書
【補正対象項目名】００５４
【補正方法】変更
【補正の内容】
【００５４】
これにより、ＡＳＮ−ＧＷ２０１は、ＭＳ情報を登録する。また、ＡＳＮ−ＧＷ２０１とＨＡ３００との間にパス３１２を確立し、データ接続が行われ、一方、ＡＳＮ−ＧＷ２００とＨＡ３００との間にパスは切断処理が実行される（３１３）。さらに、ＭＳ５００、ＢＳ４００、ＡＳＮ−ＧＷ２００、ＨＡ３００は、規定に従ったメッセージのやり取りを行い、ＭＳ５００とＢＳ４００間に無線パス５１２を確立し、ＢＳ４００とＡＳＮ−ＧＷ２００の間に、例えばＧＲＥ（Ｇｅｎｅｒｉｃ  Ｒｏｕｔｉｎｇ  Ｅｎｃａｐｓｕｌａｔｉｏｎ）カプセリングパス等のパス４１２を確立し、ＡＳＮ−ＧＷ２００とＡＳＮ−ＧＷ２０１との間にパス３１４を確立し、データ接続が行われる。すなわち、ＭＳ５００、ＢＳ４００、ＡＳＮ−ＧＷ２００、ＡＳＮ−ＧＷ２０１、ＨＡ３００、ネットワーク７００の経路でデータ接続が行われることになる。
【手続補正１１】
【補正対象書類名】明細書
【補正対象項目名】００６３
【補正方法】変更
【補正の内容】
【００６３】
４．切断処理
図１０は、本発明の実施の形態の移動体通信システムにおけるＩｄｌｅ状態からの切断シーケンスである。
次に、切断シーケンスを説明する。
ＡＳＮ−ＧＷ２００とＨＡ３００の間には、パス３１０が確立され、データ接続が行われている。ＭＳ５００は、データ接続を切断する場合、削除要求であるＲＮＧ−ＲＥＱ８２０をＢＳ４００に送信する。ＢＳ４００は、ＲＮＧ−ＲＥＱ８２０の受信を契機にＢＳ４００とＡＳＮ−ＧＷ２００の間で切断シーケンスを実行する（ＬＵ＿Ｒｅｑ．８２１、ＬＵ＿Ｒｓｑ．８２２、ＲＮＧ−ＲＳＰ８２３、ＬＵ＿Ｃｎｆ．８２４）。
【手続補正１２】
【補正対象書類名】明細書
【補正対象項目名】００６５
【補正方法】変更
【補正の内容】
【００６５】
５．メッセージフォーマット
図１５に、本発明の実施の形態のＭＳ情報格納装置への要求メッセージフォーマットの例を示す。
要求メッセージは、ＩＰヘッダ９０００、ＵＤＰヘッダ９００１、Ｔｙｐｅ９００２、Ｓｕｂ−ｔｙｐｅ９００３、ひとつ又は複数の情報要素９０１０（情報要素１  ９００４、情報要素１  ９００５〜情報要素ｍ  ９００６）を含む。Ｔｙｐｅ９００２は、要求９０１１と応答９０１２と確認（Ａｃｋ）９０１３の区別に使う。Ｓｕｂ−ｔｙｐｅ９００３は、格納９０１４と引出９０１５の区別に使う。情報要素９０１０には、ＡＳＮ−ＧＷとＭＳ情報装置との間で送信又は受信する、ＭＳＩＤ、ＭＳ情報、Ｅｘｔ．Ｉｎｄｅｘ等を含む情報をいれる。
【手続補正１３】
【補正対象書類名】明細書
【補正対象項目名】００６７
【補正方法】変更
【補正の内容】
【００６７】
Ｂ．実施の形態２：Ｍ２Ｍ接続のＩｄｌｅ状態のＭＳ情報を外部装置に格納する形態
本発明の実施の形態２では、Ｍ２Ｍ接続端末か、Ｍ２Ｍ接続以外（人を介在する接続等）の端末かを、ＢＳからＡＳＮ−ＧＷに通知し、ＡＳＮ−ＧＷは、Ｍ２Ｍ接続と判断されたＭＳ情報は、ＭＳ格納情報格納装置に格納し、Ｍ２Ｍ接続以外と判断された場合には、ＡＳＮ−ＧＷ内にＭＳ情報を格納するようにしたものである。
実施の形態２では、システム、各装置のハードウェアについては、実施の形態１と同様である。
【手続補正１４】
【補正対象書類名】明細書
【補正対象項目名】００６９
【補正方法】変更
【補正の内容】
【００６９】
本発明の実施の形態２（例１）では、端末識別子（ＭＳＩＤ）の予備ビットにＭ２Ｍ接続端末か、Ｍ２Ｍ接続以外（人を介在する接続等）かを識別するＭ２Ｍ識別子を設ける。ＡＳＮ−ＧＷは、ＢＳから受信したＭＳＩＤに含まれるＭ２Ｍ識別子によってＭ２Ｍ接続か否かを判断する。ＡＳＮ−ＧＷは、Ｍ２Ｍ接続と判断した場合は、ＭＳ情報をＭＳ格納情報格納装置に格納し、Ｍ２Ｍ接続以外と判断した場合には、ＡＳＮ−ＧＷ装置内のＡｃｔｉｖｅセッション管理テーブルにＭＳ情報を格納することができる。
【手続補正１５】
【補正対象書類名】明細書
【補正対象項目名】００７１
【補正方法】変更
【補正の内容】
【００７１】
本発明の第２の実施の形態の例２では、Ｍ２Ｍ接続を判断する別の手段として、ＢＳとＡＳＮ−ＧＷ間のメッセージの予備ビットにＭ２Ｍ識別子を付与するものである。ＭＳとＢＳ間の無線接続の規定等において、ＢＳは、ＭＳがＭ２Ｍ接続であるか否かを認識できるため、ＭＳＩＤ毎にＭ２Ｍ接続／Ｍ２Ｍ接続以外の情報を把握している。ＢＳは、当該ＭＳによる接続がＭ２Ｍ接続であると判断した場合には、ＢＳとＡＳＮ−ＧＷ間のメッセージの予備ビットにＭ２Ｍ識別子を付与する。Ｍ２Ｍ識別子を付与することで、ＢＳからＡＳＮ−ＧＷに対して、ＭＳがＭ２Ｍ接続であるか否かを通知することができる。
【手続補正１６】
【補正対象書類名】明細書
【補正対象項目名】００７６
【補正方法】変更
【補正の内容】
【００７６】
つぎに、ステップＳ２０５７で、ＡＳＮ−ＧＷ２００は、Ｍ２Ｍ接続か否かを判断する。例えば、ＡＳＮ−ＧＷ２００は、ＭＳＩＤが上述の図１６に示したＭＳＩＤである場合、ＢＳ４００から受信したＭＳＩＤに含まれるＭ２Ｍ識別子によってＭ２Ｍ接続か否かを判断することができる。また、上述の図１７に示したように、ＢＳ４００からメッセージの予備ビットにＭ２Ｍ識別子が付与されている場合、ＡＳＮ−ＧＷ２００は、このＭ２Ｍ識別子によりＭＳがＭ２Ｍ接続であるか否かを判断することができる。
Ｍ２Ｍ接続の場合、ＡＳＮ−ＧＷ２００は、ステップＳ２０５８に処理を移行する。
ステップＳ２０５８〜Ｓ２０６５は、第１の実施の形態（図１２、ステップＳ２００７〜Ｓ２０１３）の各処理と同様である。
一方、Ｍ２Ｍ接続でない場合、ＡＳＮ−ＧＷ２００は、Ｃａｌｌセッション管理テーブルを更新する（Ｓ２０６３）。
【手続補正１７】
【補正対象書類名】明細書
【補正対象項目名】００７８
【補正方法】変更
【補正の内容】
【００７８】
図３５に、実施の形態２のＡｃｔｉｖｅからＩｄｌｅへの移行後のＩｄｌｅセッション管理テーブルの例を示す。
ステップＳ２０５７では、Ｍ２Ｍ接続であるので、ステップ２０６３に移行する。ステップＳ２０６３では、ＡＳＮ−ＧＷ２００は、図１８を参照し、ＭＳＩＤ“００００１”に対応するＣａｌｌ  Ｎｏ．“１”において、ＳｔａｔｅをＩｄｌｅに設定し、Ｎｏｔ  Ｍ２Ｍ  Ｉｎｄｅｘはそのままの値とし“１”、Ｉｄｌｅ  Ｉｎｄｅｘは、ステップＳ２０５４で検索したｎｕｌｌのエリアのＩｄｌｅ  Ｉｎｄｅｘ“３”を設定し、Ｅｘｔ．Ｉｎｄｅｘにｎｕｌｌを設定する。
【手続補正１８】
【補正対象書類名】明細書
【補正対象項目名】００８１
【補正方法】変更
【補正の内容】
【００８１】
つぎに、ステップＳ２０７６で、ＡＳＮ−ＧＷ２００は、Ｍ２Ｍ接続か否かを判断する。例えば、ＡＳＮ−ＧＷ２００は、ＭＳＩＤが上述の図１６に示したＭＳＩＤである場合、ＢＳ４００から受信したＭＳＩＤに含まれるＭ２Ｍ識別子によってＭ２Ｍ接続か否かを判断することができる。また、上述の図１７に示したように、ＢＳ４００からメッセージの予備ビットにＭ２Ｍ識別子が付与されている場合、ＡＳＮ−ＧＷ２００は、このＭ２Ｍ識別子によりＭＳがＭ２Ｍ接続であるか否かを判断することができる。
Ｍ２Ｍ接続の場合、ＡＳＮ−ＧＷ２００は、ステップＳ２０８５に処理を移行する。
【手続補正１９】
【補正対象書類名】明細書
【補正対象項目名】００８２
【補正方法】変更
【補正の内容】
【００８２】
以下に、一例として、ＭＳＩＤが“００００１”のＭＳ５００がＭ２Ｍでない場合を説明する。ここで、Ｃａｌｌセッション管理テーブルは図３６、Ａｃｔｉｖｅセッション管理テーブルは図６、Ｉｄｌｅセッション管理テーブルは図３５とする。
ステップＳ２０７５までは、上述した通り処理が実行され、ステップＳ２０７６では、Ｍ２Ｍ接続であるので、ステップ２０８５に移行する。ステップＳ２０８５では、ＡＳＮ−ＧＷ２００は、図３６を参照し、ＭＳＩＤ“００００１”に対応するＣａｌｌ  Ｎｏ．“１”において、ＳｔａｔｅをＡｃｔｉｖｅに設定し、Ａｃｔｉｖｅ  Ｉｎｄｅｘ（Ｎｏｔ  Ｍ２Ｍ  Ｉｎｄｅｘ）はそのまま“１”、Ｉｄｌｅ  Ｉｎｄｅｘをｎｕｌｌに設定し、Ｅｘｔ．Ｉｎｄｅｘにｎｕｌｌを設定する。
【手続補正２０】
【補正対象書類名】明細書
【補正対象項目名】００８３
【補正方法】変更
【補正の内容】
【００８３】
図３７に、実施の形態２のＩｄｌｅからＡｃｔｉｖｅへの移行後のＣａｌｌセッション管理テーブルの例を示す。
つぎに、ステップＳ２０８６では、ＡＳＮ−ＧＷ２００は、Ｉｄｌｅセッション管理テーブルからページング情報を削除する。図３５では、Ｉｄｌｅ  Ｉｎｄｅｘ“３”に対応するページング情報を削除する。
【手続補正２１】
【補正対象書類名】明細書
【補正対象項目名】００８８
【補正方法】変更
【補正の内容】
【００８８】
本発明の実施の形態３の移動体通信システムのＩｄｌｅ移行処理は、図２０のフローチャートと同様であり、また、Ｉｄｌｅ移行シーケンスは、実施の形態１（図８）と同様である。
ただし、図２０のフローチャートのステップＳ２０５７で、ＡＳＮ−ＧＷ２００は、ステップＳ２０５３で検索したＣａｌｌ  Ｎｏを使って、図２３のテーブルを検索することで、Ｍ２Ｍ接続か否かを判断することができる。
【手続補正２２】
【補正対象書類名】明細書
【補正対象項目名】００８９
【補正方法】変更
【補正の内容】
【００８９】
本発明の実施の形態３の移動体通信システムのＡｃｔｉｖｅ移行処理は、図２１のフローチャートと同様であり、また、Ｉｄｌｅ移行シーケンスは、実施の形態１図９）と同様である。
ただし、図２１のフローチャートのステップＳ２０７６で、ＡＳＮ−ＧＷ２００は、ステップＳ２０７５で特定したＣａｌｌ  Ｎｏを使って、図２３のテーブルを検索することで、Ｍ２Ｍ接続か否かを判断することができる。
【手続補正２３】
【補正対象書類名】図面
【補正対象項目名】図１
【補正方法】変更
【補正の内容】
【図１】
2013175916.tif 000001